(57)【要約】【課題】正座又はあぐらをして着座する着座者の背骨が伸びた姿勢で骨盤の左右のバランスを安定させ、長時間楽に着座することができる床座用姿勢保持具を提供する。【解決手段】床座用姿勢保持具は、床面Ｇに載置し、着座者が正座又はあぐらをして着座する床座用姿勢保持具であって、前記床面Ｇに載置した状態において、左右両端部に上方に突出して設けられた第１凸部１０を有し、後部上面に左右方向に伸びた頂部１と、この頂部１から前方に向けて下方に傾斜した上面部３と、を備えている。【選択図】図１
2017176483.tif 000002
【特許請求の範囲】
【請求項１】
床面に載置し、着座者が正座又はあぐらをして着座する床座用姿勢保持具であって、
前記床面に載置した状態において、
左右両端部に上方に突出して設けられた第１凸部を有し、後部上面に左右方向に伸びた頂部と、
この頂部から前方に向けて下方に傾斜した上面部と、
を備えていることを特徴とする床座用姿勢保持具。
【請求項２】
床面に載置し、着座者が正座又はあぐらをして着座する床座用姿勢保持具であって、
前記床面に載置した状態において、
後部上面に左右方向に伸びた頂部と、
左右両端部に上方に突出して設けられた第２凸部を有し、前記頂部から前方に向けて下方に傾斜した上面部と、
を備えていることを特徴とする床座用姿勢保持具。
【請求項３】
床面に載置し、着座者が正座又はあぐらをして着座する床座用姿勢保持具であって、
前記床面に載置した状態において、
後部上面に左右方向に伸びた頂部と、
左右中央部に上方に突出して設けられた第３凸部を有し、前記頂部から前方に向けて下方に傾斜した上面部と、
を備えていることを特徴とする床座用姿勢保持具。
【請求項４】
床面に載置し、着座者が正座又はあぐらをして着座する床座用姿勢保持具であって、
前記床面に載置した状態において、
後部上面に左右方向に伸びた頂部と、
前端部に上方に突出して設けられた第４凸部を有し、前記頂部から前方に向けて下方に傾斜した上面部と、
を備えていることを特徴とする床座用姿勢保持具。
【請求項５】
床面に載置し、着座者が正座又はあぐらをして着座する床座用姿勢保持具であって、
前記床面に載置した状態において、
後部上面に左右方向に延びた頂部と、
左右中央の両側に設けられた窪み部を有し、前記頂部から前方に向けて下方に傾斜した上面部と、
を備えていることを特徴とする床座用姿勢保持具。
【請求項６】
床面に載置し、着座者が着座する状態において、
後部上面に左右方向に伸びた頂部と、
この頂部から前方に向けて下方に傾斜した上面部と、
前記頂部から後方に向けて下方に傾斜した後面部と、
を備えていることを特徴とする床座用姿勢保持具。
【請求項７】
前記後面部は、左右両端部に上方に突出して設けられ、後方に向けて左右幅が狭くなった第５凸部を有していることを特徴とする請求項６記載の床座用姿勢保持具。
【請求項８】
着座者が着座していないときは、請求項１乃至７のいずれか１項記載の床座用姿勢保持具の外形状と異なる外形状をしており、着座者が正座又はあぐらをして着座すると請求項１乃至７のいずれか１項記載の床座用姿勢保持具の外形状に弾性変形することを特徴とする床座用姿勢保持具。
【発明の詳細な説明】
【技術分野】
【０００１】
本発明は床座用姿勢保持具に関するものである。
【背景技術】
【０００２】
特許文献１は従来の床座用姿勢保持具を開示している。この床座用姿勢保持具は着座者が正座又はあぐらのいずれかの座り方で着座するものである。この床座用姿勢保持具は、床面に載置した状態において、後端から前端に向けて下方に傾斜する平面で形成された上面部を備えている。このため、この床座用姿勢保持具は着座者が背骨を伸ばした姿勢で着座することができる。
【先行技術文献】
【特許文献】
【０００３】
【特許文献１】実開平５−６８３５８号公報
【発明の概要】
【発明が解決しようとする課題】
【０００４】
しかし、特許文献１の床座用姿勢保持具は、正座又はあぐらのいずれの座り方でも使えるが、上面部が後端から前端に向けて下方に傾斜させた平面で形成されているのみであり、これらの座り方で着座した場合における着座者の骨盤の左右のバランスを考慮していない。着座者が背骨を伸ばした姿勢で長時間楽に着座するためには、骨盤の左右のバランスがとれた着座姿勢である必要がある。
【０００５】
本発明は上記従来の事情に鑑みてなされたものであって、正座又はあぐらのいずれの座り方で着座しても着座者の背骨が伸びた姿勢で骨盤の左右のバランスを安定させ、長時間楽に着座することができる床座用姿勢保持具を提供することを解決すべき課題としている。
【課題を解決するための手段】
【０００６】
第１発明の床座用姿勢保持具は、床面に載置し、着座者が正座又はあぐらをして着座する床座用姿勢保持具であって、前記床面に載置した状態において、左右両端部に上方に突出して設けられた第１凸部を有し、後部上面に左右方向に伸びた頂部と、この頂部から前方に向けて下方に傾斜した上面部と、を備えていることを特徴とする。
【０００７】
この床座用姿勢保持具は、床面に載置した状態において、左右方向に伸びた頂部が左右両端部に上方に突出して設けられた第１凸部を有している。このため、この床座用姿勢保持具は、着座者が両足首を頂部に乗せて正座をして着座すると、第１凸部が着座者の両足首を頂部の左右方向の中央部に並ぶように規制する。また、この床座用姿勢保持具は、着座者がお尻を頂部に乗せてあぐらをして着座すると、第１凸部が着座者のお尻を頂部の左右方向の中央部に位置するように規制する。これによって、この床座用姿勢保持具は着座者の骨盤の左右のバランスを安定させることができる。
【０００８】
また、この床座用姿勢保持具は、床面に設置した状態において、上面部が頂部から前方に向けて下方に傾斜している。このため、この床座用姿勢保持具は、着座者が両足首を頂部に乗せて正座をして着座したり、着座者がお尻を頂部に乗せてあぐらをして着座したりすると、着座者の骨盤の後傾を防ぐことができる。よって、この床座用姿勢保持具は正座又はあぐらのいずれの座り方で着座しても着座者の骨盤を前傾させて背骨が伸びた姿勢で着座させることができる。
【０００９】
したがって、第１発明の床座用姿勢保持具は、正座又はあぐらのいずれの座り方で着座しても着座者の背骨が伸びた姿勢で骨盤の左右のバランスを安定させ、長時間楽に着座することができる。
【００１０】
第２発明の床座用姿勢保持具は、床面に載置し、着座者が正座又はあぐらをして着座する床座用姿勢保持具であって、前記床面に載置した状態において、後部上面に左右方向に伸びた頂部と、左右両端部に上方に突出して設けられた第２凸部を有し、前記頂部から前方に向けて下方に傾斜した上面部と、を備えていることを特徴とする。
【００１１】
この床座用姿勢保持具は、床面に設置した状態において、上面部が左右両端部に上方に突出して設けられた第２凸部を有している。このため、この床座用姿勢保持具は、着座者が両足首を頂部に乗せて正座をして着座すると、第２凸部が着座者の両脛を上面部の左右方向の中央部に並ぶように規制する。また、この床座用姿勢保持具は、着座者がお尻を頂部に乗せてあぐらをして着座すると、第２凸部が着座者の両足の足裏を上面部の左右両端部から外方向に飛び出さないように規制する。これによって、この床座用姿勢保持具は着座者の骨盤の左右のバランスを安定させることができる。
【００１２】
また、この床座用姿勢保持具は、床面に設置した状態において、上面部が左右方向に伸びた頂部から前方に向けて下方に傾斜している。このため、この床座用姿勢保持具は、着座者が両足首を頂部に乗せて正座をして着座したり、着座者がお尻を頂部に乗せてあぐらをして着座したりすると、着座者の骨盤の後傾を防ぐことができる。よって、この床座用姿勢保持具は正座又はあぐらのいずれの座り方で着座しても着座者の骨盤を前傾させて背骨が伸びた姿勢で着座させることができる。
【００１３】
したがって、第２発明の床座用姿勢保持具は、正座又はあぐらのいずれの座り方で着座しても着座者の背骨が伸びた姿勢で骨盤の左右のバランスを安定させ、長時間楽に着座することができる。
【００１４】
第３発明の床座用姿勢保持具は、床面に載置し、着座者が正座又はあぐらをして着座する床座用姿勢保持具であって、前記床面に載置した状態において、後部上面に左右方向に伸びた頂部と、左右中央部に上方に突出して設けられた第３凸部を有し、前記頂部から前方に向けて下方に傾斜した上面部と、を備えていることを特徴とする。
【００１５】
この床座用姿勢保持具は、床面に設置した状態において、上面部が左右中央部に上方に突出して設けられた第３凸部を有している。このため、この床座用姿勢保持具は、着座者が両足首を頂部に乗せて正座をして着座すると、第３凸部が着座者の両脛を第３凸部の両側に並べ、膝と膝との間に握り拳が一つ入るくらい開いた状態に規制する。また、この床座用姿勢保持具は、着座者がお尻を頂部に乗せてあぐらをして着座すると、足首付近で交差した両足の夫々が第３凸部を乗り越えて第３凸部の両側に並ぶように規制する。これによって、この床座用姿勢保持具は着座者の骨盤の左右のバランスを安定させることができる。
【００１６】
また、この床座用姿勢保持具は、床面に設置した状態において、上面部が左右方向に伸びた頂部から前方に向けて下方に傾斜している。このため、この床座用姿勢保持具は、着座者が両足首を頂部に乗せて正座をして着座したり、着座者がお尻を頂部に乗せてあぐらをして着座したりすると、着座者の骨盤の後傾を防ぐことができる。よって、この床座用姿勢保持具は正座又はあぐらのいずれの座り方で着座しても着座者の骨盤を前傾させて背骨が伸びた姿勢で着座させることができる。
【００１７】
したがって、第３発明の床座用姿勢保持具は、正座又はあぐらのいずれの座り方で着座しても着座者の背骨が伸びた姿勢で骨盤の左右のバランスを安定させ、長時間楽に着座することができる。
【００１８】
第４発明の床座用姿勢保持具は、床面に載置し、着座者が正座又はあぐらをして着座する床座用姿勢保持具であって、前記床面に載置した状態において、後部上面に左右方向に伸びた頂部と、前端部に上方に突出して設けられた第４凸部を有し、前記頂部から前方に向けて下方に傾斜した上面部と、を備えていることを特徴とする。
【００１９】
この床座用姿勢保持具は、床面に設置した状態において、上面部が前端部に上方に突出して設けられた第４凸部を有している。このため、この床座用姿勢保持具は、着座者が両足首を頂部に乗せて正座をして着座すると、第４凸部が着座者の両ひざを上面部の前端部から前方に飛び出さないように規制する。また、この床座用姿勢保持具は、着座者がお尻を頂部に乗せてあぐらをして着座すると、第４凸部が着座者の両足を上面部の前端部から前方に飛び出さないように規制する。これによって、この床座用姿勢保持具は着座者の骨盤の左右のバランスを安定させることができる。
【００２０】
また、この床座用姿勢保持具は、床面に設置した状態において、上面部が左右方向に伸びた頂部から前方に向けて下方に傾斜している。このため、この床座用姿勢保持具は、着座者が両足首を頂部に乗せて正座をして着座したり、着座者がお尻を頂部に乗せてあぐらをして着座したりすると、着座者の骨盤の後傾を防ぐことができる。よって、この床座用姿勢保持具は正座又はあぐらのいずれの座り方で着座しても着座者の骨盤を前傾させて背骨が伸びた姿勢で着座させることができる。
【００２１】
したがって、第４発明の床座用姿勢保持具は、正座又はあぐらのいずれの座り方で着座しても着座者の背骨が伸びた姿勢で骨盤の左右のバランスを安定させ、長時間楽に着座することができる。
【００２２】
第５発明の床座用姿勢保持具は、床面に載置し、着座者が正座又はあぐらをして着座する床座用姿勢保持具であって、前記床面に載置した状態において、後部上面に左右方向に延びた頂部と、左右中央の両側に設けられた窪み部を有し、前記頂部から前方に向けて下方に傾斜した上面部と、を備えていることを特徴とする。
【００２３】
この床座用姿勢保持具は、床面に載置した状態において、上面部が左右中央の両側に設けられた窪み部を有している。このため、この床座用姿勢保持具は、着座者が両足首を頂部に乗せて正座をして着座すると、窪み部が着座者の両ひざを嵌まり込むように規制する。また、この床座用姿勢保持具は、着座者がお尻を頂部に乗せてあぐらをして着座すると、窪み部が着座者の両足を嵌まり込むように規制する。これによって、この床座用姿勢保持具は着座者の骨盤の左右のバランスを安定させることができる。
【００２４】
また、この床座用姿勢保持具は、床面に設置した状態において、上面部が左右方向に伸びた頂部から前方に向けて下方に傾斜している。このため、この床座用姿勢保持具は、着座者が両足首を頂部に乗せて正座をして着座したり、着座者がお尻を頂部に乗せてあぐらをして着座したりすると、着座者の骨盤の後傾を防ぐことができる。よって、この床座用姿勢保持具は正座又はあぐらのいずれの座り方で着座しても着座者の骨盤を前傾させて背骨が伸びた姿勢で着座させることができる。
【００２５】
したがって、第５発明の床座用姿勢保持具は、正座又はあぐらのいずれの座り方で着座しても着座者の背骨が伸びた姿勢で骨盤の左右のバランスを安定させ、長時間楽に着座することができる。
【００２６】
第６発明の床座用姿勢保持具は、床面に載置し、着座者が着座する状態において、後部上面に左右方向に伸びた頂部と、この頂部から前方に向けて下方に傾斜した上面部と、前記頂部から後方に向けて下方に傾斜した後面部と、を備えていることを特徴とする。
【００２７】
この床座用姿勢保持具は、床面に設置した状態において、上面部が左右方向に伸びた頂部から前方に向けて下方に傾斜している。このため、この床座用姿勢保持具は、着座者が両足首を頂部に乗せて正座をして着座したり、着座者がお尻を頂部に乗せてあぐらをして着座したりすると、着座者の骨盤の後傾を防ぐことができる。よって、この床座用姿勢保持具は正座又はあぐらのいずれの座り方で着座しても着座者の骨盤を前傾させて背骨が伸びた姿勢で着座させることができる。
【００２８】
また、この床座用姿勢保持具は、床面に設置した状態において、後面部が頂部から後方に向けて下方に傾斜している。このため、この床座用姿勢保持具は、着座者が両足首を頂部に乗せて正座をして着座すると、両足の甲が後面部に当接する。よって、この床座用姿勢保持具は、後面部が両足の指先を下方に向けて並べて配置させる。これによって、この床座用姿勢保持具は着座者の骨盤の左右のバランスを安定させることができる。また、この床座用姿勢保持具は、後面部が両足の甲の全体に当接して体圧を分散することができるため、着座者は足のしびれや痛みをおこしにくく、長時間でも快適な座り心地を維持することができる。
【００２９】
したがって、第６発明の床座用姿勢保持具は、正座又はあぐらをして着座する着座者の背骨が伸びた姿勢で骨盤の左右のバランスを安定させ、長時間楽に着座することができる。
【００３０】
この床座用姿勢保持具の後面部は、左右両端部に上方に突出して設けられ、後方に向けて左右幅が狭くなった第５凸部を有し得る。この場合、この床座用姿勢保持具は、着座者が両足首を頂部に乗せて正座をして着座すると、第５凸部が着座者の両足の指先を内側に向けて両足の親指が近づくように規制する。これによって、この床座用姿勢保持具は着座者の骨盤の左右のバランスを安定させることができる。
【００３１】
第７発明の床座用姿勢保持具は、着座者が着座していないときは、前述した床座用姿勢保持具の外形状と異なる外形状をしており、着座者が正座又はあぐらをして着座すると前述した床座用姿勢保持具の外形状に弾性変形することを特徴とする。
【００３２】
この床座用姿勢保持具は、正座又はあぐらをして着座すると前述した床座用姿勢保持具の外形状に弾性変形する。このため、この床座用姿勢保持具は、前述したように、着座者の背骨が伸びた姿勢で骨盤の左右のバランスを安定させ、長時間楽に着座させることができる。また、この床座用姿勢保持具は、着座者が着座していないときは、凹凸の少ないすっきりとした形状にすることができる。
【図面の簡単な説明】
【００３３】
【図１】実施例１の床座用姿勢保持具を示す斜視図である。
【図２】実施例１の床座用姿勢保持具を示す平面図である。
【図３】実施例１の床座用姿勢保持具を示す側面図である。
【図４】実施例１の床座用姿勢保持具を示す正面図である。
【図５】実施例１の床座用姿勢保持具を示す背面図である。
【図６】図２の矢視Ａ−Ａ断面図である。
【図７】図４の矢視Ｂ−Ｂ断面図である。
【図８】図３の矢視Ｘ−Ｘ断面図である。
【図９】図２の矢視Ｙ−Ｙ断面図である。
【図１０】図３の矢視Ｚ−Ｚ断面図である。
【図１１】実施例１の床座用姿勢保持具を示す透視図である。
【図１２】実施例１の床座用姿勢保持具に正座した状態を示す斜視図である。
【図１３】実施例１の床座用姿勢保持具にあぐらをして着座した状態を示す斜視図である。
【図１４】実施例１の床座用姿勢保持具にあぐらをして着座した着座者の骨格の一部を示す透視図である。
【図１５】実施例２の床座用姿勢保持具を示す斜視図である。
【発明を実施するための形態】
【００３４】
次に、本発明の床座用姿勢保持具を具体化した実施例１及び２について、図面を参照しつつ説明する。
【００３５】
＜実施例１＞
実施例１の床座用姿勢保持具は、図１に示すように、床面Ｇに載置される。この床座用姿勢保持具は、図２に示すように、床面Ｇに載置した状態で、上方から見た平面視において、左右方向の幅よりも前後方向の長さが長く、前端縁Ｆの左右方向の幅よりも後端縁Ｒの左右方向の幅が短い略卵型形状である。この床座用姿勢保持具は、平面視において、左右対称形状である。なお、床座用姿勢保持具の前後及び左右は、床面Ｇに載置された床座用姿勢保持具に正座又はあぐらをして着座した着座者から見た前後及び左右である（以下同じ。）。
【００３６】
詳しくは、この床座用姿勢保持具の前端縁Ｆ（図２において下側で左右方向に伸びた縁）は、平面視において、左右中央部が僅かに後方に凹んだ曲線で形成されている。また、この床座用姿勢保持具の左右両端縁Ｓは、平面視において、外側に膨らんだ曲線で形成されている。また、この床座用姿勢保持具の後端縁Ｒ（図２において上側で左右方向に伸びた縁）は、平面視において、左右方向に略一直線上に伸びて形成されている。
【００３７】
この床座用姿勢保持具の左右両端縁Ｓは、平面視において、前端の間隔よりも後端の間隔が狭い。つまり、この左右両端縁Ｓは、平面視において、前端から前後方向の略中央部まで外側に広がり、その後側が次第に左右中央部に向けてすぼんでいる。また、この左右両端縁Ｓは前端が前端縁Ｆの左右両端に連続している。左右両端縁Ｓの夫々の前端と前端縁Ｆの左右両端の夫々とが形成する角部Ｃは、平面視において、外側に膨らんだ曲線で形成されている。平面視におけるこれら角部Ｃの曲線の曲率半径は左右両端縁の曲率半径に比べて小さい。また、この左右両端縁Ｓは後端が後端縁Ｒの左右両端に連続している。
【００３８】
この床座用姿勢保持具は、図１〜図５に示すように、頂部１、上面部３、後面部５、底面部７、及び側面部９を備えている。床座用姿勢保持具を床面Ｇに載置した状態において、図６に示すように、床座用姿勢保持具の左右中央部の前後方向の鉛直断面形状は、頂部１が最も高く、上面部３の後部から頂部１を介して後面部５までが上方に突出した湾曲面で形成されている。このように、頂部１は、この床座用姿勢保持具を床面Ｇに載置した際に最も高く盛り上がった部分であり、床座用姿勢保持具の後端縁Ｒ側の後部上面に左右方向に伸びて形成されている。床座用姿勢保持具は、頂部１の前側に上面部３が連続して形成され、後側に後面部５が連続して形成されている。
【００３９】
床座用姿勢保持具を床面Ｇに載置した状態において、図４及び図５に示すように、頂部１は左右両端部が上方に突出している。つまり、頂部１は、左右方向に伸びており、左右中央部が左右両端部よりも凹んだ湾曲面で形成されている。この上方に突出した左右両端部が第１凸部１０に相当する。第１凸部１０は、図１，図６及び図７に示すように、頂部１の左右両端部の全体に亘って設けられている。
【００４０】
床座用姿勢保持具を床面Ｇに載置した状態において、図８及び図９に示すように、上面部３は左右両端部及び左右中央部が上方に突出している。この上方に突出した左右両端部が第２凸部２０に相当する。第２凸部２０は、図１〜図４，図６及び図７に示すように、後端部が第１凸部１０の前端部に連続しており、上面部３の左右両端部の全体に亘って設けられている。第２凸部２０は、前端側に向けて上方へ突出する高さが徐々に小さくなっている。また、図１，図２，図８及び図９に示すように、この上方に突出した左右中央部が第３凸部３０に相当する。第３凸部３０は上面部３の前後方向に伸びている。第２凸部２０と第３凸部３０との間は凹んだ湾曲面で形成されている。この第２凸部２０と第３凸部３０との間が後述する窪み部６０に相当する。
【００４１】
また、床座用姿勢保持具を床面Ｇに載置した状態において、図１，図６及び図７に示すように、上面部３は前端部が上方に突出している。この上方に突出した前端部が第４凸部４０に相当する。第４凸部４０は、図１，図２及び図４に示すように、上面部３の前端部の全体に亘って設けられている。第４凸部４０は、左右両端部が第２凸部２０の前端部に連続している。また、第４凸部４０は左右中央部が第３凸部３０の前端部に連続している。第４凸部４０は、図１，図４，図６及び図７に示すように、左右中央部が最も高く上方に突出している。このように、上面部３は、図１，図２，図４，図６〜図９に示すように、第２凸部２０の内側であり、第４凸部４０の後側であって、第３凸部３０の両側（左右中央部の両側）に前後方向に伸びた窪み部６０が設けられている。
【００４２】
前述したように、床座用姿勢保持具は、図６に示すように、上面部３の後部から頂部１を介して後面部５までの形状は、頂部１が最も高く、上方に突出した湾曲面で形成されている。つまり、後面部５は頂部１から後方に向けて下方に傾斜している。また、床座用姿勢保持具を床面Ｇに載置した状態において、図５及び図１０に示すように、後面部５は左右両端部が上方に突出している。つまり、後面部５は、左右中央部が左右両端部よりも凹んだ湾曲面で形成されている。この上方に突出した左右両端部が第５凸部５０に相当する。第５凸部５０は、図１，図２，図６及び図７に示すように、前端部が第１凸部１０の後端部に連続している。また、第５凸部５０は、図２及び図５に示すように、後方（下方）に向けて左右幅が狭くなっている。また。第５凸部５０は、図６に示すように、後面部５の左右両端部の中間部まで伸びており、床座用姿勢保持具の後端縁に左右中央部まで伸びていない。つまり、各第５凸部５０の後端部は離れている。
【００４３】
底面部７は、図３〜図１０に示すように、床座用姿勢保持具を床面Ｇに載置した際に床面Ｇに当接する部分である。この底面部７は、床座用姿勢保持具を床面Ｇに載置した状態で平面視した形状と略等しい大きさ及び形状であり、平面である。側面部９は、図１，図３〜図１０に示すように、この底面部７の外周縁から頂部１、上面部３及び側面部９の高さに応じて立ち上がり、頂部１、上面部３及び後面部５の左右両端縁と、上面部３の前端縁と、後面部５の後端縁とに連続している。
【００４４】
この床座用姿勢保持具は、図６〜図１１に示すように、芯材７０、表層部材８０、及び表皮材９０とから構成されている。芯材７０は、表層部材８０よりも硬いウレタンフォームの板材を４枚積層し、各板材を接着剤によって接着して形成されている。各板材は、積層した際に床座用姿勢保持具の外形状に応じた形状になるように、下側から徐々に形状を小さくし、頂部１付近が最も高くなるように階段状に積み上げられている。
【００４５】
表層部材８０は、芯材７０よりも柔らかいウレタンフォームであり、着座者が着座していない状態の床座用姿勢保持具の外形状を形成している。また、この表層部材８０は、着座者が着座した際に反発力を着座者のお尻や脚等に与えるほどの弾性力を有している。表層部材８０は下方に開放した凹部が設けられている。この凹部は積層した芯材７０が隙間なく収納される形状を有している。この凹部に芯材７０が収納され、芯材７０と表層部材８０とは接着剤によって接着されている。このように構成することによって、この床座用姿勢保持具は、着座者が着座すると、表層部材８０が弾性変形して、着座者のお尻や脚等が当接する部分が弾性変形しフィット感を奏するとともに体圧を分散させることができる。このため、着座者は足のしびれや痛みをおこしにくい。一方、この床座用姿勢保持具は、芯材７０によって、着座者が着座した際に必要以上に形状が変形してしまうことを防止している。
【００４６】
また、表皮材９０は収縮性を有するポリエステル樹脂製である。表皮材９０は表層部材８０に接着剤によって接着されている。このように、この床座用姿勢保持具は、表皮材９０を表層部材８０に接着することによって、着座者が着座していない状態で表層部材８０の凹凸形状が外観に表れている。このため、この床座用姿勢保持具は、着座者が凹凸を認識して着座することができるため、正しい位置に着座することができる。よって、この床座用姿勢保持具は、背骨が伸びた姿勢で骨盤の左右のバランスを安定させて、着座者が着座することができる。
【００４７】
図１２に示すように、この床座用姿勢保持具に正座する場合について説明する。
先ず、床面Ｇに載置した床座用姿勢保持具の頂部１に両足首を乗せるように正座をして着座する。すると、頂部１の左右両端部に上方に突出して設けられた第１凸部１０が着座者の両足首を頂部１の左右方向の中央部に並ぶように規制する。また、上面部３の左右両端部に上方に突出して設けられた第２凸部２０と上面部３の左右中央部に上方に突出して設けられた第３凸部３０とが着座者の両脛を上面部３の左右方向の中央部(第３凸部３０の両側)に並べ、膝と膝との間に握り拳が一つ入るくらい開いた状態に規制する。さらに、上面部３の前端部に上方に突出して設けられた第４凸部４０が着座者の両ひざを上面部３の前端部から前方に飛び出さないように規制する。つまり、上面部３の左右中央の両側に設けられた窪み部６０が着座者の両ひざを嵌まり込むように規制する。また、両足の甲が後面部５に当接するとともに、後面部５の左右両端部に上方に突出して設けられた第５凸部５０が着座者の両足の指先を内側下方に向けて両足の親指が近づくように規制する。これらによって、この床座用姿勢保持具は着座者の骨盤の左右のバランスを安定させることができる。
【００４８】
また、この床座用姿勢保持具は、床面Ｇに設置した状態において、上面部３が左右方向に伸びた頂部１から前方に向けて下方に傾斜している。このため、この床座用姿勢保持具は、着座者が両足首を頂部１に乗せて正座をして着座すると、着座者の骨盤の後傾を防ぐことができる。よって、この床座用姿勢保持具は着座者の骨盤を前傾させて背骨が伸びた姿勢で正座させることができる。
【００４９】
また、この床座用姿勢保持具は、着座者が正座をして着座すると、表皮材９０が伸びて表層部材８０が弾性変形し、両脛、両足首、及び両足の甲が当接する部分がフィット感を奏するとともに体圧を分散させることができる。このため、この床座用姿勢保持具は、着座者が足のしびれや痛みを起こしにくく、長時間でも快適な座り心地を維持することができる。
【００５０】
次に、図１３及び図１４に示すように、この床座用姿勢保持具にあぐらをして着座する場合について説明する。
先ず、床面Ｇに載置した床座用姿勢保持具の頂部１にお尻を乗せるようにあぐらをして着座する。すると、頂部１の左右両端部に上方に突出して設けられた第１凸部１０が着座者のお尻を頂部１の左右方向の中央部に位置するように規制する。また、上面部３の左右両端部に上方に突出して設けられた第２凸部２０が着座者の両足の足裏を上面部３の左右両端部から外方向に飛び出さないように規制する。また、足首付近で交差した両足の夫々が上面部３の左右中央部に上方に突出して設けられた第３凸部３０を乗り越えて第３凸部３０の両側に並ぶように規制する。さらに、上面部３の前端部に上方に突出して設けられた第４凸部４０が着座者の両足を上面部３の前端部から前方に飛び出さないように規制する。つまり、上面部３の左右中央の両側に設けられた窪み部６０が着座者の両足を嵌まり込むように規制する。これらによって、この床座用姿勢保持具は着座者の骨盤の左右のバランスを安定させることができる。
【００５１】
また、この床座用姿勢保持具は、床面Ｇに設置した状態において、上面部３が左右方向に伸びた頂部１から前方に向けて下方に傾斜している。このため、この床座用姿勢保持具は、着座者がお尻を頂部１に乗せてあぐらをして着座すると、図１４に示すように、着座者の骨盤の後傾を防ぐことができる。よって、この床座用姿勢保持具は着座者の骨盤を前傾させて背骨が伸びた姿勢であぐらをして着座させることができる。
【００５２】
また、この床座用姿勢保持具は、着座者があぐらをして着座すると、表皮材９０が伸びて表層部材８０が弾性変形し、お尻、両足首、及び両足が当接する部分がフィット感を奏するとともに体圧を分散させることができる。このため、この床座用姿勢保持具は、着座者は足のしびれや痛みをおこしにくく、長時間でも快適な座り心地を維持することができる。
【００５３】
このように実施例１の床座用姿勢保持具は、床面Ｇに載置し、着座者が正座又はあぐらをして座る床座用姿勢保持具であって、前記床面Ｇに載置した状態において、左右両端部に上方に突出して設けられた第１凸部１０を有し、左右方向に伸びた頂部１と、この頂部１から前方に向けて下方に傾斜した上面部３と、を備えている。
【００５４】
このように、この床座用姿勢保持具は、床面Ｇに載置した状態において、左右方向に伸びた頂部１が左右両端部に上方に突出して設けられた第１凸部１０を有している。このため、この床座用姿勢保持具は、着座者が両足首を頂部１に乗せて正座をして着座すると、第１凸部１０が着座者の両足首を頂部１の左右方向の中央部に並ぶように規制する。また、この床座用姿勢保持具は、着座者がお尻を頂部１に乗せてあぐらをして着座すると、第１凸部１０が着座者のお尻を頂部１の左右方向の中央部に位置するように規制する。これによって、この床座用姿勢保持具は着座者の骨盤の左右のバランスを安定させることができる。
【００５５】
また、この床座用姿勢保持具は、床面Ｇに設置した状態において、上面部３が左右両端部に上方に突出して設けられた第２凸部２０を有している。このため、この床座用姿勢保持具は、着座者が両足首を頂部１に乗せて正座をして着座すると、第２凸部２０が着座者の両脛を上面部３の左右方向の中央部に並ぶように規制する。また、この床座用姿勢保持具は、着座者がお尻を頂部１に乗せてあぐらをして着座すると、第２凸部２０が着座者の両足の足裏を上面部３の左右両端部から外方向に飛び出さないように規制する。これによって、この床座用姿勢保持具は着座者の骨盤の左右のバランスを安定させることができる。
【００５６】
また、この床座用姿勢保持具は、床面Ｇに設置した状態において、上面部３が左右中央部に上方に突出して設けられた第３凸部３０を有している。このため、この床座用姿勢保持具は、着座者が両足首を頂部１に乗せて正座をして着座すると、第３凸部３０が着座者の両脛を第３凸部３０の両側に並べ、膝と膝との間に握り拳が一つ入るくらい開いた状態に規制する。また、この床座用姿勢保持具は、着座者がお尻を頂部１に乗せてあぐらをして着座すると、足首付近で交差した両足の夫々が第３凸部３０を乗り越えて第３凸部３０の両側に並ぶように規制する。これによって、この床座用姿勢保持具は着座者の骨盤の左右のバランスを安定させることができる。
【００５７】
この床座用姿勢保持具は、床面Ｇに設置した状態において、上面部３が前端部に上方に突出して設けられた第４凸部４０を有している。このため、この床座用姿勢保持具は、着座者が両足首を頂部１に乗せて正座をして着座すると、第４凸部４０が着座者の両ひざを上面部３の前端部から前方に飛び出さないように規制する。また、この床座用姿勢保持具は、着座者がお尻を頂部１に乗せてあぐらをして着座すると、第４凸部４０が着座者の両足を上面部３の前端部から前方に飛び出さないように規制する。これによって、この床座用姿勢保持具は着座者の骨盤の左右のバランスを安定させることができる。
【００５８】
この床座用姿勢保持具は、床面Ｇに載置した状態において、上面部３が左右中央の両側に設けられた窪み部６０を有している。このため、この床座用姿勢保持具は、着座者が両足首を頂部１に乗せて正座をして着座すると、窪み部６０が着座者の両ひざを嵌まり込むように規制する。また、この床座用姿勢保持具は、着座者がお尻を頂部１に乗せてあぐらをして着座すると、窪み部６０が着座者の両足を嵌まり込むように規制する。これによって、この床座用姿勢保持具は着座者の骨盤の左右のバランスを安定させることができる。
【００５９】
また、この床座用姿勢保持具は、床面Ｇに設置した状態において、後面部５が頂部１から後方に向けて下方に傾斜している。このため、この床座用姿勢保持具は、着座者が両足首を頂部１に乗せて正座をして着座すると、両足の甲が後面部５に当接する。よって、この床座用姿勢保持具は、後面部５が両足の指先を下方に向けて並べて配置させる。これによって、この床座用姿勢保持具は着座者の骨盤の左右のバランスを安定させることができる。また、この床座用姿勢保持具は、後面部５が両足の甲の全体に当接して体圧を分散することができるため、着座者は足のしびれや痛みをおこしにくく、長時間でも快適な座り心地を維持することができる。
【００６０】
また、この床座用姿勢保持具は、後面部５が左右両端部に上方に突出して設けられ、後方に向けて左右幅が狭くなった第５凸部５０を有している。このため、この床座用姿勢保持具は、着座者が両足首を頂部１に乗せて正座をして着座すると、第５凸部５０が着座者の両足の指先を内側に向けて両足の親指が近づくように規制する。これによって、この床座用姿勢保持具は着座者の骨盤の左右のバランスを安定させることができる。
【００６１】
また、この床座用姿勢保持具は、床面Ｇに設置した状態において、上面部３が左右方向に伸びた頂部１から前方に向けて下方に傾斜している。このため、この床座用姿勢保持具は、着座者が両足首を頂部１に乗せて正座をして着座したり、着座者がお尻を頂部１に乗せてあぐらをして着座したりすると、着座者の骨盤の後傾を防ぐことができる。よって、この床座用姿勢保持具は正座又はあぐらのいずれの座り方で着座しても着座者の骨盤を前傾させて背骨が伸びた姿勢で着座させることができる。
【００６２】
したがって、実施例１の床座用姿勢保持具は、正座又はあぐらのいずれの座り方で着座しても着座者の背骨が伸びた姿勢で骨盤の左右のバランスを安定させ、長時間楽に着座することができる。
【００６３】
＜実施例２＞
実施例２は、図２に示すように、表皮材９０が表層部材８０に接着されていない点が実施例１と相違する。他の構成は実施例１と同様であり、同一の構成は同一の符号を付して詳細な説明を省略する。
【００６４】
この床座用姿勢保持具は、表皮材９０が表層部材８０に接着されていないため、着座者が着座していないと、表層部材８０の凹んだ部分から表皮材９０が浮いた状態になる。このため、この床座用姿勢保持具は着座者が着座していないときは、凹凸の少ないすっきりとした形状にすることができる。また、この床座用姿勢保持具は、着座者が着座すると、表皮材９０が伸びて、表層部材８０に沿うため、前述したように、着座者の背骨が伸びた姿勢で骨盤の左右のバランスを安定させ、長時間楽に着座することができる。
【００６５】
本発明は上記記述及び図面によって説明した実施例１及び２に限定されるものではなく、例えば次のような実施例も本発明の技術的範囲に含まれる。
（１）実施例１では、上面部が第１〜第４凸部及び後面部を有していたが、これらの少なくとも一つを有していればよい。
（２）実施例１では、後面部が第５凸部を有していたが、後面部が第５凸部を有していなくてもよい。
（３）実施例１及び２では、床座用姿勢保持具が芯材、表層部材、及び表皮材から構成されていたが、芯材と表層部材を一体に形成してもよい。つまり、部分的に硬さを調整したウレタンフォームによって、芯材と表層部材を一体に形成してもよい。また表皮材を有していなくてもよい。
（４）実施例１及び２では、芯材が４枚のウレタンフォームの板材を積層して形成したが、芯材は床座用姿勢保持具の外形状に応じた形状に一体成型してもよい。
（５）実施例２では、表皮材を表層部材に接着しないことによって、着座者が着座する前後の外形状が変形するようにしたが、ウレタンフォームの変形によって着座者が着座する前後の外形状を変形させてもよい。
【符号の説明】
【００６６】
Ｆ…床面
１…頂部
３…上面部
５…後面部
１０…第１凸部
２０…第２凸部
３０…第３凸部
４０…第４凸部
５０…第５凸部
６０…窪み部
【図１】
2017176483.tif 000003
【図２】
2017176483.tif 000004
【図３】
2017176483.tif 000005
【図４】
2017176483.tif 000006
【図５】
2017176483.tif 000007
【図６】
2017176483.tif 000008
【図７】
2017176483.tif 000009
【図８】
2017176483.tif 000010
【図９】
2017176483.tif 000011
【図１０】
2017176483.tif 000012
【図１１】
2017176483.tif 000013
【図１２】
2017176483.tif 000014
【図１３】
2017176483.tif 000015
【図１４】
2017176483.tif 000016
【図１５】
2017176483.tif 000017